(57)【要約】      （修正有）【課題】熱・火炎の阻隔と防煙効果があり、防火設備規定に合う排熱防火装置の提供。【解決手段】本排熱防火装置は、２つのフレーム１１・１４と、フレームに設置された第一駆動ユニット１２、第二駆動ユニット１３から構成される収納機構１と、フレーム１１上に設けた霧散布ユニット６と、第一駆動ユニット、第二駆動ユニット上にそれぞれ設置された２つの遮断スクリーン２・２ａと、第一駆動ユニット、第二駆動ユニット及び霧散布ユニット６に電気的に接続された少なくとも１つのセンサユニット３とを含み、２つのフレーム間に排煙通路１５を設け、収納機構１にさらに外部に通じる開口部１６を開設し、遮断スクリーンを垂下させるとその間に空気層Ａが形成され、この構造により火災発生時に霧散布ユニット６が散布する水の分子を利用し、迅速に熱を排煙通路から開口部を介して外部に排出し、熱と火炎を阻隔すると共に防煙効果を得、且つ防火設備の規定に合致する。【選択図】図１
0003118359.tif 000002
【実用新案登録請求の範囲】
【請求項１】
収納機構と、少なくとも１つの霧散布ユニットと、２つの遮断スクリーンと、少なくとも１つのセンサユニットと、少なくとも１つの制御ユニットを含み、そのうち、該収納機構が２つのフレームを含み、該２つのフレームに第一駆動ユニット及び第二駆動ユニットがそれぞれ設置され、且つ、該２つのフレーム間に排煙通路が設けられ、該収納機構と該排煙通路の対応する箇所にさらに外部に通じた開口部が開設され、該霧散布ユニットが該フレームのいずれかに設置され、該各遮断スクリーンの一端が上述の第一駆動ユニット、第二駆動ユニット上にそれぞれ設置され、且つ、該２つの遮断スクリーンを垂下させるとその間に空気層が形成されると共に、該センサユニットが上述の第一駆動ユニット、第二駆動ユニット及び該霧散布ユニットと電気的に接続され、該制御ユニットが上述の第一駆動ユニット、第二駆動ユニット及び霧散布ユニットと電気的に接続された、排熱防火装置。
【請求項２】
前記開口部上にさらに吸入ファン設備を設けた、請求項１に記載の排熱防火装置。
【請求項３】
前記各遮断スクリーンが二酸化シリコン(SiO2)材料から成る、請求項１に記載の排熱防火装置。
【請求項４】
前記遮断スクリーンの底部にそれぞれ固定部を設けた、請求項１に記載の排熱防火装置。
【請求項５】
前記センサユニットが熱感知器である、請求項１に記載の排熱防火装置。
【請求項６】
前記センサユニットが煙感知器である、請求項１に記載の排熱防火装置。
【請求項７】
前記制御ユニットがスイッチである、請求項１に記載の排熱防火装置。
【考案の詳細な説明】
【技術分野】
【０００１】
本考案は排熱防火装置に関し、詳細には、熱や火炎、煙を遮断することができ、防火設備の規定に合致する排熱防火装置に関する。
【背景技術】
【０００２】
一般的な従来の防火装置には、中華民国特許公報公告第373655号の「防火スクリーン装置」があるが、これは主に、防火スクリーン、防火スクリーン駆動ユニット、制御ユニット、検知ユニットを含み、そのうち、該防火スクリーン駆動ユニットには手動のロープと電動モーターの二種類があり、該モーターは制御ボックス内のスイッチ制動または検知ユニットが火災発生を検知すると制御ユニットが直接モーターを駆動して作動される。その特徴は、該防火スクリーンが巻き取り式で設置され、且つ、その下端部に重りを設け、開かれると該防火スクリーンがスムースに地面にできるだけ近い位置まで垂れ下がり、阻隔効果を向上している点である。また、該防火スクリーンには１つまたは１つ以上の縦方向の裂け目を設け、且つ、この裂け目が下端部までとどき、非常口を形成している。
【０００３】
上述の従来の「防火スクリーン装置」は、失火エリアを隔てると同時に非常口を保留し、失火エリアの人が逃げることができるようにしているが、火災の発生時に発生する高温の輻射熱が失火エリア外の近隣エリアの可燃物に引火を引き起こしたり、人の体を傷つけたりするほか、濃い煙が加わりこの煙こそが命を落とす主因となるため、台湾の建築技術規則において、防火設備は一時間以上の熱遮断性を備えていなければならないという規定(建築設計施工編第79条)があり、単純にこのような従来の「防火スクリーン装置」を防火設備とすると、関連する防火設備の規定に合致せず、また、熱・火炎・煙の遮断ができない。このため、一般的な従来の「防火スクリーン装置」は、実際の使用上使用者のニーズを満たすことができない。
【０００４】
本考案は、中華民国特許出願案第93220985号の改良であり、前案において考案者は収納機構、２つの遮断スクリーン、少なくとも１つのセンサユニット及び少なくとも１つの制御ユニットを利用して二層防火スクリーン装置を構成している。センサユニットが環境中の熱気または煙を感知したり、使用者が手動で制御ユニットを操作すると、収納機構内の第一、第二駆動ユニットが起動され、２つの遮断スクリーンを垂下させ、これら２つの遮断スクリーンの間に形成される空気層を利用し、熱や火炎を遮断することができるものである。しかし、考案者はまだこれが完全ではないと考え、研究を重ねてさらに別のより優れた機能を備えた排熱防火装置を開発するに至った。
【考案の開示】
【考案が解決しようとする課題】
【０００５】
このため、本考案の主な目的は、火災発生時に霧散布ユニットを利用し、霧化された液体により液体全体の表面積を増加し、熱伝送速度特性を増進して熱エネルギーを迅速に外部に排出し、熱・火炎の阻隔と防煙効果を得ると共に、防火設備の規定に合致する排熱防火装置を提供することにある。
【課題を解決するための手段】
【０００６】
上述の目的を達するため、本考案の排熱防火装置は、収納機構、霧散布ユニット、遮断スクリーン、少なくとも１つのセンサユニット及び少なくとも１つの制御ユニットから構成され、該収納機構はさらに２つのフレームを含み、該２つのフレームはそれぞれ第一駆動ユニット及び第二駆動ユニットを備え、且つ、該２つのフレーム間に排煙通路を設け、該収納機構と排煙通路が対応する箇所にさらに外部に通じた開口部を設け、各遮断スクリーンの一端を該第一駆動ユニットと第二駆動ユニット上にそれぞれ設置し、且つ、該２つの遮断スクリーンを垂下させるとその間に空気層が形成され、該センサユニットと該第一駆動ユニット、第二駆動ユニット及び霧散布ユニットが電気的に接続され、該制御ユニットと該第一駆動ユニット、第二駆動ユニット及び霧散布ユニットが電気的に接続される。
【考案を実施するための最良の形態】
【０００７】
図１に本考案の断面図を示す。この図に示すように、本考案の排熱防火装置は、収納機構１、２つの遮断スクリーン２、２ａ、少なくとも１つのセンサユニット３、少なくとも１つの制御ユニット４及び少なくとも１つの霧散布ユニット６から構成され、火災の発生時に熱・火炎の阻隔と防煙の効果を得ると共に、防火設備の規定に合致することができる。
【０００８】
上述の収納機構１はさらに、２つのフレーム１１及び１４を備え、該２つのフレーム１１及び１４は第一駆動ユニット１２及び第二駆動ユニット１３を備え、且つ、２つのフレーム１１及び１４間に排煙通路１５を設け、収納機構１と排煙通路１５が対応する箇所にさらに外部に通じる開口部１６を設け、該開口部１６上にさらに吸入ファン設備１７を設置することができ、排煙通路１５及び開口部１６の導きにより、霧散布ユニット６が散布する水の分子が熱により蒸発・膨張し、蒸気爆発を起さないようにすることができる。吸入ファン設備１７は、水の分子の対外排出の速度を加速することができる。
【０００９】
霧散布ユニット６はフレーム１１の下方に設置することができ、霧化した液体を散布可能であり、水の分子の微細化により、その全体数量を増加し、表面積も相対して増加するため、熱エネルギーの吸収を迅速に行い、熱伝送速度を向上して熱源を迅速に外部に導き排出することができる。
【００１０】
各遮断スクリーン２、２ａの一端は、上述の第一駆動ユニット１２、第二駆動ユニット１３上にそれぞれ設置され、各遮断スクリーン２、２ａは第一駆動ユニット１２、第二駆動ユニット１３により巻き取りまたは折りたたみの動作を行うことができ、且つ、該２つの遮断スクリーン２、２ａを垂下させると、その間に空気層Ａが形成され、各遮断スクリーン２、２ａは二酸化シリコン(SiO2)材料から成り、且つ、各遮断スクリーン２、２ａの底部にそれぞれ固定部２１、２１ａを設け、該固定部２１、２１ａは重りとすることができ、または固定部を設置しない設計で該２つの遮断スクリーン２、２ａが地面５に接触するとき該２つの遮断スクリーンが層状に重なるようその長さを地面に接触する距離より長く設計してもよい。
【００１１】
該センサユニット３は上述の第一駆動ユニット１２、第二駆動ユニット１３及び霧散布ユニット６と電気的に接続され、該センサユニット３は熱感知器または煙感知器とすることができる。
【００１２】
該制御ユニット４は上述の第一駆動ユニット１２、第二駆動ユニット１３及び霧散布ユニット６と電気的に接続され、該制御ユニットは手動制御スイッチとすることができる。このように、上述の構造によって全く新しい排熱防火装置が構成される。
【００１３】
図２に本考案の別の実施例の使用状態を示す断面図を示す。この図に示すように、本考案はその使用時に該収納機構１をフレーム１１及び１４を利用して必要な位置（建築物の防火区画の開口部など）に設置し、且つ、２つのフレーム１１及び１４の間に間隙を留めておき、排煙通路１５を設ける。収納機構１と排煙通路１５の対応する箇所にさらに外部に通じた開口部１６を設け、この開口部１６により排煙通路１５から排出される煙を外部に排出することができる。開口部１６上にさらに吸入ファン設備１７を設け、排出速度を加速してもよい。フレーム１１下方にはさらに霧散布ユニット６を設け、その散布する霧化液体は水の分子が微細化されて数量が比較的多くなり、総体表面積も相対して増加しているため、熱源の吸收の助けとなると共に、熱伝送速度を加速し、熱源を開口部１６に向かって排出する速度もまたより速くすることができる。
【００１４】
このほか、該少なくとも１つのセンサユニット３を天井の予め定めた位置に設置し、該各遮断スクリーン２、２ａは該収納機構１内に巻き取りまたは折り畳まれて収納され、且つ、レール２２を組み合わせて垂直に昇降させ收納・垂下（開閉）可能にすることができる。火災が発生すると、該センサユニット３が環境中の熱気または煙を感知し、霧散布ユニット６及び第一、第二駆動ユニット１２、１３を作動させる。このとき、霧散布ユニット６は霧化した液体を散布し、霧化された液体は元の液体より水の分子が小さく、多くなっているため、表面積もまた増加しており、この微細化された水の分子により、迅速に熱源を排煙通路１５及び開口部１６を介して外部に向かって排出でき、熱の阻隔と放熱の効果を得ることができる。同時に、各遮断スクリーン２、２ａは第一駆動ユニット１２、第二駆動ユニット１３によりレール２２に沿って下方向に垂下され、各遮断スクリーン２、２ａが垂下された後、その間に空気層Ａが形成される。このとき、各遮断スクリーン２、２ａ及びその間に形成された空気層Ａを利用し、火災現場の熱伝導を低下させ、熱と火炎の阻隔効果を得ると共に、各遮断スクリーン２、２ａを垂下させると該固定部２１、２１ａにより各遮断スクリーン２、２ａを平ら且つ円滑に地面まで降下させて地面５に平らに貼り付いた状態にすることができ、または固定部を設置しない設計によれば、該２つの遮断スクリーン２、２ａの長さを地面に接触したときに層状に重なる長さに設計し、地面に接触する距離より長く設けることで地面との密閉性をよくすることができる。
【００１５】
このため、該熱気、火炎及び煙を効果的に阻隔し、防火設備の規定に合致することができる。
【００１６】
本考案の霧散布ユニット６及び各遮断スクリーン２、２ａは、センサユニット３により霧化液体散布の作動及び第一駆動ユニット１２、第二駆動ユニット１３の駆動を行い、各遮断スクリーン２、２ａを自動的に下方向へ垂下させるだけでなく、該制御ユニット４を用い使用者が環境の必要に応じて手動で制御ユニット４を操作する方式で霧散布ユニット６の作動及び第一駆動ユニット１２、第二駆動ユニット１３の作動を制御し、各遮断スクリーン２、２ａを下方向に垂下させることもできる。
【００１７】
上述のように、本考案の排熱防火装置は効果的に従来のさまざまな欠点を改善でき、火災発生時に該霧散布ユニットを利用して熱エネルギーを迅速に外部へ排出して熱・火炎の阻隔と防煙の効果を得ることができ、防火設備の規定にも合致させることができる。本考案は進歩的、実用的で使用者のニーズに合うものであり、実用新案登録出願の要件を満たしているため、法に基づきここに実用新案登録を出願するものである。
【００１８】
以上で述べた説明は、本考案の最良の実施例に基づくものであり、本考案の実施の範囲を制限するものではない。このため、本考案の請求の範囲及び明細書の内容に基づく簡単な同等効果を得る変化や修飾はすべて本考案の特許の範囲に含まれるものとみなす。
【図面の簡単な説明】
【００１９】
【図１】本考案の断面図である。
【図２】本考案の使用時の状態を示す断面図である。
【符号の説明】
【００２０】
１      収納機構
２・２ａ    遮断スクリーン
３      センサユニット
４      制御ユニット
５      地面
６      霧散布ユニット
１１・１４    フレーム
１２    第一駆動ユニット
１３    第二駆動ユニット
１５    排煙通路
１６    開口部
１７    吸入ファン設備
２１・２１ａ    固定部
２２    レール
Ａ      空気層
【図１】
0003118359.tif 000003
【図２】
0003118359.tif 000004